(57)【要約】      （修正有）【課題】複数の手帳等を同時に使用することができ、容易に手帳等の差し替えや交換を行うことができ、手帳等の冊数を増減させることが可能な手帳ジャケットを提供する。【解決手段】係止部１２、１３とスプリング部１８を有するフック付バー４と、見開き左右両側に手帳９の表表紙と裏表紙とを夫々差し込んで手帳９を保持するための差込用袋部１０を形成し、保持した手帳９の背表紙に沿う中央部の上端と下端にフック付バー４の係止部１２、１３を引っ掛けるための切欠部を形成した内カバー３と、二つ折りした際に背表紙に当たる中央部の上端と下端にフック付バー４の係止部１２、１３を引っ掛けるための切欠部５、６を形成した外カバー２と、からなる手帳カバーであって、フック付バー４を外カバー２の背表紙に沿ってガイドさせ、係止部１２を切欠部５に引っ掛けた後、スプリング部１８を下方に伸ばして係止部１３を切欠部６に引っ掛けることにより、外カバー２と内カバー３とがフック付バー４を介して係止される。【選択図】図７
0003220698.tif 000002
【実用新案登録請求の範囲】
【請求項１】
垂直方向に延びる棒部の上端を下方へ折り曲げ、下端を上方へ折り曲げて夫々係止部を形成したフック付バーと、矩形状であって可撓性を有し、見開き自在であると共に、左右両側に手帳やメモ帳、書類の表表紙と裏表紙とを夫々差し込んで手帳やメモ帳、書類を保持するための差込用袋部を備え、保持した手帳やメモ帳、書類の背表紙に沿う中央部の上端と下端に前記フック付バーの係止部を引っ掛けるための切欠部を形成した内カバーと、矩形状であって可撓性を有し、見開き自在であると共に、二つ折りした際に背表紙に当たる中央部の上端と下端に前記フック付バーの係止部を引っ掛けるための切欠部を形成した外カバーと、からなり、前記フック付バーを前記外カバーの背表紙に沿ってガイドさせ、前記係止部を外カバーの切欠部及び外カバーの見開き側に配置した前記内カバーの切欠部に引っ掛けることにより、外カバーと内カバーとがフック付バーを介して係止される構成の手帳ジャケットにおいて、
前記フック付バーの棒部の中央部分には伸縮自在のスプリング部が設けられていること、を特徴とする手帳ジャケット。
【請求項２】
前記フック付バーが２本以上であること、前記内カバーが２つ以上であること、前記外カバーの上端と下端に形成した切欠部が夫々２つ以上であること、を特徴とする請求項１に記載の手帳ジャケット。
【請求項３】
前記内カバーは透明又は半透明であること、を特徴とする請求項１又は２のいずれか１項に記載の手帳ジャケット。
【請求項４】
前記外カバーは皮革を素材として形成されていること、を特徴とする請求項１乃至３のいずれか１項に記載の手帳ジャケット。
【請求項５】
前記外カバーの背表紙には背表紙保護カバーが取り付けられていること、を特徴とする請求項１乃至４のいずれか１項に記載の手帳ジャケット。
【請求項６】
前記内カバーに代えて袋体を着脱自在に構成して成る請求項１乃至５のいずれか１項に記載の手帳ジャケット。
【考案の詳細な説明】
【技術分野】
【０００１】
本考案は、手帳やメモ帳等の差し替え、増設を可能とすることにより、複数の手帳等を目的に応じて使い分けたり、交換したり、増冊することに適した手帳ジャケットに関する。
【背景技術】
【０００２】
従来、手帳やメモ帳等の交換や増冊を容易にするためのブックカバーや手帳カバーとしては、係止部を形成したフック付バーを、外カバー及び内カバーに形成した切欠部に引っ掛けることにより外カバーと内カバーとがフック付バーを介して係止される構成の手帳ジャケットが公知となっている（実用新案登録第３２１６３４４号公報）。
【０００３】
しかし、この手帳ジャケットに係るフック付バーは伸縮機能を有しないため、外カバー及び内カバーの切欠部にフック付バーを引っ掛ける際、また外カバー及び内カバーからフック付バー４を取り外す際には、一旦外カバー及び内カバーを撓ませる必要がある。
【０００４】
そのため、外カバー及び内カバーの撓ませた部分に不要な折癖がつきやすく、この折癖が邪魔となり、内カバーの差込用袋部に手帳等の表紙を差し込む際や、差込用袋部から手帳等の表紙を引き抜く際に支障が出る、という問題がある。
【０００５】
また、手帳等の差し替え、増設を繰り返すたびに外カバー及び内カバーを撓ませていては、撓ませた部分に折れ線が残り見栄えが悪いばかりか、撓ませた部分が損傷する虞があり、その度に新品のカバーに買い換えていては不経済である。
【０００６】
また、不器用な人や手が不自由な老人にとっては、フック付バーと切欠部の位置合わせをした上、外カバー及び内カバーを撓ませながらフック付バーを切欠部に引っ掛けることは容易ではなく、使用者に不親切である。
【先行技術文献】
【特許文献】
【０００７】
【特許文献１】実用新案登録第３２１６３４４号公報
【考案の開示】
【考案が解決しようとする課題】
【０００８】
本考案は、このようなブックカバーや手帳カバーの欠点を解消すべく、安価でありながら複数の手帳等を同時に使用することができ、使用中であっても手帳等の冊数を適宜増減することができ、不器用な人や手が不自由な老人等でも容易に手帳等の差し替えや交換が可能な手帳ジャケットを提供することを目的とする。
【課題を解決するための手段】
【０００９】
上記目的を達成するため、請求項１に記載の考案は、手帳ジャケットにおいて、垂直方向に延びる棒部の上端を下方へ折り曲げ、下端を上方へ折り曲げて夫々係止部を形成したフック付バーと、矩形状であって可撓性を有し、見開き自在であると共に、左右両側に手帳やメモ帳、書類の表表紙と裏表紙とを夫々差し込んで手帳やメモ帳、書類を保持するための差込用袋部を備え、保持した手帳やメモ帳、書類の背表紙に沿う中央部の上端と下端に前記フック付バーの係止部を引っ掛けるための切欠部を形成した内カバーと、矩形状であって可撓性を有し、見開き自在であると共に、二つ折りした際に背表紙に当たる中央部の上端と下端に前記フック付バーの係止部を引っ掛けるための切欠部を形成した外カバーと、からなり、前記フック付バーを前記外カバーの背表紙に沿ってガイドさせ、前記係止部を外カバーの切欠部及び外カバーの見開き側に配置した前記内カバーの切欠部に引っ掛けることにより、外カバーと内カバーとがフック付バーを介して係止される構成の手帳ジャケットにおいて、前記フック付バーの棒部の中央部分には伸縮自在のスプリング部が設けられていることを特徴とする。
【００１０】
また、請求項２に記載の考案は、請求項１に記載の手帳ジャケットにおいて、前記フック付バーが２本以上であること、前記内カバーが２つ以上であること、前記外カバーの上端と下端に形成した切欠部が夫々２つ以上であることを特徴とする。
【００１１】
また、請求項３に記載の考案は、請求項１又は２のいずれか１項に記載の手帳ジャケットにおいて、前記内カバーは透明又は半透明であることを特徴とする。
【００１２】
また、請求項４に記載の考案は、請求項１乃至３のいずれか１項に記載の手帳ジャケットにおいて、前記外カバーは皮革を素材として形成されていることを特徴とする。
【００１３】
また、請求項５に記載の考案は、請求項１乃至４のいずれか１項に記載の手帳ジャケットにおいて、前記外カバーの背表紙には背表紙保護カバーが取り付けられていることを特徴とする。
【００１４】
また、請求項６に記載の考案は、請求項１乃至５のいずれか１項に記載の手帳ジャケットにおいて、前記内カバーに代えて袋体を着脱自在に構成して成ることを特徴とする。
【考案の効果】
【００１５】
本考案によれば、不器用な人や手が不自由な老人であっても、複数の手帳等を１つの手帳ジャケットに収納して安全に携行、使用することができ、使用が済んだ後には手帳等の差し替えや交換を容易に行うことができ、また使用中であっても必要に応じて手帳等の冊数を増減させることが可能となる。
【００１６】
また、内カバーを透明又は半透明とすることにより、使用者は保持している複数の手帳等を表紙や裏表紙から瞬時に判別することが可能となり、作業効率が向上する。
【００１７】
また、外カバーの素材として皮革を用いることで、皮革の有する一般的な防水性能により雨天時等の水濡れで手帳内の記載内容が判別不能となることを防ぐことができると共に、皮革は適度な重量を有するため手帳ジャケットの安定度が増し、手帳が風等により吹き飛ばされることを防ぐことができる。
【００１８】
また、皮革は紙等と比較して摩擦係数が大きいため、使用者は手帳ジャケットを保持しやすいという効果もある。
【００１９】
さらに、外カバーに背表紙保護カバーを取り付けることにより、手帳ジャケットを保持した際にフック付バーと手とが直接触れないため、保持中に使用者の指等を痛めることを防ぐことができる。
【図面の簡単な説明】
【００２０】
【図１】手帳ジャケットを開き、外カバーと内カバーとフック付バーが見える状態とした斜視図である。
【図２】外カバーの説明図である。
【図３】内カバーの説明図である。
【図４】フック付バーの説明図である。
【図５】（Ａ）外カバーにフック付バーを組み付けた状態を見開き側から示す説明図である。（Ｂ）外カバーにフック付バーを組み付けた状態を背表紙側から示す説明図である。（Ｃ）外カバーと内カバーとがフック付バーを介して係止されている状態を示す説明図である。（Ｄ）前記図５（Ｃ）の内カバーに手帳を差し込み、保持した状態を示す説明図である。
【図６】外カバーと内カバーとがフック付バーを介して係止されている手帳ジャケットを上方から見た状態を示す説明図である。
【図７】手帳ジャケットを背表紙側から見た状態を示す説明図である。
【図８】（Ａ）外カバーの背表紙に背表紙保護カバーを取り付けた状態を示す説明図である。（Ｂ）外カバーの背表紙に背表紙保護カバーを取り付けた手帳ジャケットを背表紙側から見た状態を示す説明図である。
【図９】内袋の説明図である。
【考案を実施するための形態】
【００２１】
以下、本考案の実施例を図面を基に詳細に説明する。
なお、本実施例は外カバーに対して２つのフック付バーと２つの透明な内カバーを使用し、一冊の手帳を保持する例を示すものである。
【実施例１】
【００２２】
図１において、符号の１は手帳ジャケットであり、この手帳ジャケット１は外カバー２と内カバー３とフック付バー４から構成されている。
【００２３】
そして、図２に示すように、可撓性を有する外カバー２は二つ折りした際に背表紙に当たる中央部の上端に切欠部５が形成され、下端に切欠部６が形成されている。
【００２４】
また、図３に示すように、可撓性を有する内カバー３は二つ折りした際に背表紙に当たる中央部の上端と下端に夫々切欠部７と切欠部８が形成され、見開き内側の３ａ、３ｂの両側に手帳９の表表紙９ａと裏表紙９ｂとを夫々を差し込んで手帳９を保持するための差込袋部１０が設けられている。
【００２５】
また、図４に示すように、フック付バー４は垂直方向に延びる棒部１１と、この棒部１１の上端を下方へ折り曲げて形成した係止部１２と、下端を上方へ折り曲げて形成した係止部１３と、棒部１１の中央部に設けられた伸縮自在のスプリング部１８からなる。
【００２６】
次に、手帳９を使用する場合の手帳ジャケット１の組み立て手順を説明する。
【００２７】
先ず、図５（Ｂ）に示すように、フック付バー４を外カバー２の背表紙に沿わせながら、図５（Ａ）に示すように、係止部１２を外カバーの切欠部５に引っ掛け、次にスプリング部１８を下方に伸ばして係止部１３を切欠部６に引っ掛けることにより、フック付バー４はその係止部１２、１３が外カバー２の見開き内側に露出した状態で外カバー２と係止される。
【００２８】
次に、図５（Ｃ）に示すように、係止部１２を内カバー３の切欠部７に引っ掛け、次にスプリング部１８を下方に伸ばして係止部１３を切欠部８に引っ掛けることにより、フック付バー４はその係止部１２、１３が内カバー３の見開き内側に露出した状態で内カバー３と係止される。
【００２９】
次に、図５（Ｄ）に示すように、手帳９の表表紙９ａと裏表紙９ｂとを内カバー３に設けられた差込用袋部１０に夫々差し込み、手帳９を保持する。
【実施例２】
【００３０】
上述した組み立て手順から明らかなように本考案の構成はシンプルであるため、不器用な人や手が不自由な老人であっても、手帳９の差し替えは勿論、手帳ジャケット１の組み立てや分解も容易に行うことができる。
【００３１】
そのため、切欠部５、６が夫々に複数形成された外カバー２に対して１つの内カバー３と１つのフック付バー４を使用しているような場合は、その後必要に応じて内カバー３とフック付バー４を別途用意し、外カバー２に組み付けることにより保持する手帳を簡単に増冊することができる。
【実施例３】
【００３２】
また、内カバー３の素材として透明又は半透明のプラスチックフィルム等を用いることにより、使用者は複数の手帳等を表紙や裏表紙から瞬時に判別することができるため、作業効率が上がる。
【実施例４】
【００３３】
また、外カバー２の素材として皮革を用いることにより、皮革の有する一般的な防水性能や耐久性能が得られるだけでなく、手帳ジャケット１に高級感が加わって見栄えもよいものとなる。
【実施例５】
【００３４】
図８において符号の１４は背表紙保護カバーであり、この背表紙保護カバー１４は外カバー２の背表紙を覆うように例えば縫製により外カバー２に取り付けられる。
【００３５】
この背表紙保護カバー１４を外カバーに取り付けることにより、手帳ジャケットを保持した際にフック付バーが手の平や指に直接触れないため、使用者は保持中に指等を痛めることがなく、また冬の屋外等で使用する場合にもバーの冷たさを感じることがない。
【実施例６】
【００３６】
図９において、符号の１５は袋体であり、この袋体１５には内カバー３と同様の切欠部１６、１７が形成されているため、内カバー３に代えて袋体１５を外カバー２に組み付けることにより、手帳等だけでなく、書類等の携行、管理が可能となる。
【符号の説明】
【００３７】
１  手帳ジャケット
２  外カバー
３  内カバー
４  フック付バー
５  切欠部
６  切欠部
７  切欠部
８  切欠部
９  手帳
１０  差込用袋部
１１  棒部
１２  係止部
１３  係止部
１４  背表紙保護カバー
１５  袋体
１６  切欠部
１７  切欠部
１８  スプリング部
【図１】
0003220698.tif 000003
【図２】
0003220698.tif 000004
【図３】
0003220698.tif 000005
【図４】
0003220698.tif 000006
【図５】
0003220698.tif 000007
【図６】
0003220698.tif 000008
【図７】
0003220698.tif 000009
【図８】
0003220698.tif 000010
【図９】
0003220698.tif 000011